(57)【要約】      （修正有）【課題】電子機器の交換によって使用できない状態となったリモコンを、電子機器交換後でも使用可能とする電子機器制御装置を提供する。【解決手段】本発明の電子機器制御装置は、最新リモコンコードを記憶する記憶部と、記憶部に記憶される最新リモコンコードと、実際に使用される使用リモコン１００が発信する既存リモコンコードとの差分を検出する検出部と、前記差分に基づいて、既存リモコンコードを最新リモコンコードに変換する変換部と、使用リモコンから発信される既存リモコンコードを受信する受信部と、変換部によって、受信部が受信した既存リモコンコードを最新リモコンコードに変換して、電子機器２００に発信する発信部を備える。使用リモコンの発信する既存リモコンコードが、電子機器に対応していない場合でも、使用リモコンによる、電子機器の動作制御を可能にする。【選択図】図１
2020191490.tif 000002
【特許請求の範囲】
【請求項１】
電子機器の動作制御をリモートコントロールで行う電子機器制御装置であって、
最新リモコンコードを記憶する記憶部と、
前記記憶部に記憶される最新リモコンコードと、実際に使用される使用リモコンが発信する既存リモコンコードとの差分を検出する検出部と、
前記差分に基づいて、前記既存リモコンコードを前記最新リモコンコードに変換する変換部と、
前記使用リモコンから発信される前記既存リモコンコードを受信する受信部と、
前記変換部によって、前記受信部が受信した前記既存リモコンコードを前記最新リモコンコードに変換して、前記電子機器に発信する発信部を備え、
前記使用リモコンの発信する前記既存リモコンコードが、前記電子機器に対応していない場合でも、前記使用リモコンにより、前記電子機器を動作制御可能とする、電子機器制御装置。
【請求項２】
前記電子機器の動作制御に対応する最新リモコンコードを収集する収集部を更に備える、請求項１記載の電子機器制御装置。
【請求項３】
前記収集部は、前記電子機器の入れ替えがされると、入れ替え後の電子機器に付属する付属リモコンから、前記最新リモコンコードを収集する、請求項２記載の電子機器制御装置。
【請求項４】
前記収集部は、収集した前記最新リモコンコードをサーバーに送信し、
前記サーバーは、前記最新リモコンコードを登録する、請求項２または３記載の電子機器制御装置。
【請求項５】
前記記憶部は、前記収集部で収集された最新リモコンコードもしくは前記サーバーが登録した最新リモコンコードを受信して、記憶する、請求項４記載の電子機器制御装置。
【請求項６】
複数の種類の前記電子機器が居室に設置されており、
前記記憶部は、複数の種類の前記電子機器のそれぞれに対応する前記最新リモコンコードを記憶し、
前記変換部は、前記複数の種類の電子機器の内、前記使用リモコンの発信する前記既存リモコンコードと、前記電子機器の動作制御に必要となる前記最新リモコンコードの相違する電子機器については、前記既存リモコンコードを前記最新リモコンコードに変換する、請求項１から５のいずれか記載の電子機器制御装置。
【請求項７】
前記複数の居室のそれぞれにおいて、同一種類の電子機器であっても、その型式が相違することがある、請求項６記載の電子機器制御装置。
【請求項８】
前記使用リモコンおよび前記電子機器制御装置は、前記複数の居室のそれぞれに設置されており、
前記居室のそれぞれにおいて、同一種類の電子機器の型式が相違する場合には、
前記記憶部は、前記型式に対応する前記最新リモコンコードを記憶し、
前記変換部は、前記型式に対応する前記最新リモコンコードに、前記既存リモコンコードを変換することで、
前記居室に設置されている前記電子機器の型式の相違に対応して、前記電子機器の動作制御を行う、請求項７記載の電子機器制御装置。
【請求項９】
前記記憶部は、前記複数の種類の電子機器のそれぞれに対応する前記最新リモコンコードを記憶する、請求項１から８のいずれか記載の電子機器制御装置。
【請求項１０】
前記サーバーは、前記複数の居室のそれぞれに設置されている前記電子機器制御装置の前記記憶部に、前記最新リモコンコードを送信する、請求項５記載の電子機器制御装置。
【請求項１１】
前記サーバーは、前記記憶部に対して、有線通信もしくは無線通信によって、前記最新リモコンコードを送信する、請求項１０記載の電子機器制御装置。
【請求項１２】
前記サーバーは、前記複数の居室のそれぞれで設置されている前記電子機器の型式が相違する場合には、前記型式に対応する最新リモコンコードを、前記記憶部に送信する、請求項１０または１１記載の電子機器制御装置。
【発明の詳細な説明】
【技術分野】
【０００１】
本発明は、無線信号により電子機器の起動や動作制御を行うリモコンに介在して、入れ替えされた電子機器であっても、リモコン操作によって動作制御を行える電子機器制御装置に関する。
【背景技術】
【０００２】
テレビ、録画プレーヤー、空調機器、照明装置、音楽プレーヤーなどの電子機器の多くは、リモートコントローラー（以下、適宜「リモコン」と略す）によって、起動、停止、種々の制御（放送チャネル、音量、照度、温度など）がなされる。これらの電子機器は、電子機器が販売される際に専用のリモコンが付属しており、使用者はこの付属している専用のリモコンを使用して、電子機器を制御する。
【０００３】
リモコンは、赤外線信号を発信する。リモコンは、電子機器と対応するリモコンコードを赤外線信号として発信する。このとき、リモコンコードには、制御内容を特定するコントロールコマンドを含んでいる。電子機器は、リモコンからの赤外線信号を受信して、赤外線信号に含まれるリモコンコードにしたがって、設定された制御を行う。起動や音量の変更などである。
【０００４】
上述したテレビや録画プレーヤーなどの多くの電子機器のリモコンは、赤外線信号を発信することで、電子機器を制御することが通常である。無線ＬＡＮなどの信号を用いる機器も存在するが、まだ少数である。赤外線信号での制御であるので、リモコンから電子機器への一方通行の信号発信であり、リモコンは電子機器からの信号を受信することはない。また、双方向で信号のやり取りをすることはない。
【０００５】
テレビや空調機器は、長年にわたって普及しており、既存のほとんどの電子機器は、赤外線信号によるリモコンで制御されているのが現状である。
【０００６】
ここで、室内にはテレビだけでなく、録画プレーヤー、空調機器、照明装置、音楽プレーヤーなどの多くの電子機器が備わっている。それぞれは、専用のリモコンが付属しており、使用者は、テレビならテレビのリモコンを使用し、空調機器なら空調機器のリモコンを使用する。他の電子機器についても同じである。
【０００７】
このため、部屋の中には、数多くのリモコンがあふれ、使用者は電子機器ごとにこれらを使い分ける必要がある。使用者にとっては、非常に不便である。また、いずれかのリモコンを無くしてしまったり壊してしまったりすることもありえる。このため、テレビ、録画プレーヤー、空調機器、照明装置、音楽プレーヤーなど複数の電子機器に共通に使用できる、共通リモコンが使用されることがある。共通リモコンは、部屋にある複数の電子機器を共通に動作制御することができる。
【０００８】
特に、宿泊施設の部屋においては、テレビ、録画プレーヤー、空調機器、照明装置、音楽プレーヤーなど、様々な電子機器が置いてある。宿泊施設の部屋は、日替わりで異なる宿泊客が利用するので、電子機器それぞれにリモコンが用意されていても、置き場所が変わってしまったり、損傷されてしまったりすることがある。また、国籍や使用言語が様々である宿泊客は、リモコンの使用方法が分からないこともある。どのリモコンが、テレビに対応し、どのリモコンが照明装置に対応するかも、わからないこともありえる。
【０００９】
このような点からも、共通リモコンが用いられることが求められている。また、宿泊施設などでは国籍や使用言語が様々である宿泊客が利用する特殊性から、タブレット端末を利用した共通リモコンが使用されることも求められる。
【００１０】
このように、電子機器ごとに多くのリモコンが増えてしまうことに対応して、共通制御を行う技術が提案されている（例えば、特許文献１参照）。
【先行技術文献】
【特許文献】
【００１１】
【特許文献１】特開２００８−２１９６７２号公報
【発明の概要】
【発明が解決しようとする課題】
【００１２】
特許文献１は、バスに接続された複数の機器を制御するリモートコントロールシステムであって、セットトップボックス２のリモコン４から発せられたテレビ専用コマンドは、テレビ３に転送され、リモコン４から発せられ、バスに接続された機器の間で共通に動作し得るコマンドはセットトップボックス２により、テレビ３と、動作状態にあるＤＶＤプレーヤ１またはＤＶＤレコーダ５に対し送信先を示す符号をつけた同一コマンドとしてバス上を転送される。共通のコマンドを受信した機器は自装置の状態から自装置宛のコマンドと判断される場合はコマンドを実行し、他装置のコマンドと判定される場合はコマンドを実行しない、リモートコントロールシステムを、開示する。
【００１３】
特許文献１は、セットトップボックスを基点として、テレビ、ＤＶＤプレーヤなどの機器へのリモートコントロールを実現する技術を提案している。セットトップボックスに付属するリモコンを基点として、テレビとＤＶＤプレーヤの操作制御を行うことを提案している。
【００１４】
しかしながら、特許文献１の技術では、テレビとＤＶＤプレーヤのリモコンを減らすことができるものの、室内にある他の電子機器（空調機器、照明装置、音響プレーヤーなど）のリモコンを削減できない。もちろん、これらを制御できない。また、テレビとＤＶＤプレーヤーの制御をセットトップボックスのリモコンを通じて行うのには、それぞれ専用の電気接続を行う必要があり、セッティングが手間である問題がある。
【００１５】
また、特許文献１の技術が、複数の電子機器を制御できると仮定しても、次のような問題がある。例えば、テレビ、録画プレーヤー、空調機器、照明装置、音楽プレーヤーなどのすべてを共通に動作制御できるとする。宿泊施設などでは多数の部屋のそれぞれに、これらテレビ、録画プレーヤー、空調機器、照明装置、音楽プレーヤーなどが設置されている。これらの電子機器のいずれかが、新型の発売により入れ替えされたり、故障のために交換されたりすることがある。
【００１６】
この入れ替えや交換においては、同じテレビでも型式が変わったり、製造メーカーが変わったりする。また、入れ替えや交換も、部屋によってさまざまである。ある部屋では「型式Ａ」というテレビから「型式Ｂ」というテレビに交換される。しかし、他の部屋では「型式Ａ」というテレビから「型式Ｃ」というテレビに交換される。
【００１７】
あるいは、ある部屋ではテレビが交換されるが、別の部屋では空調機器が交換される、ということも行われる。
【００１８】
このように、共通リモコンが使用されていても、多数の部屋を持つ宿泊施設などでは、部屋によって、異なる種類の電子機器の入れ替えや交換が行われる。また、この入れ替えや交換は、不定期であると共に、頻繁に起きることもある。このような入れ替えが行われると、共通リモコンが記憶している電子機器に対応するリモコンコードが使えなくなる。例えば、共通リモコンには、「型式Ａ」のテレビを動作制御するリモコンコードが記憶されている。しかし、ある部屋では、「型式Ｂ」のテレビに入れ替わったり、別の部屋では、「型式Ｃ」のテレビに入れ替わったり、別の部屋では型式Ａのテレビのままということもある。
【００１９】
この状態では、部屋によって共通リモコンの記憶しているある電子機器のリモコンコードが使用できなくなる問題がある。このようになると、各部屋の共通リモコンを、手作業で新しい電子機器に対応するリモコンコードにアップデートしていく必要がある。このような作業は非現実的な量となってしまう。特に、近年のインバウンドの増加によって、部屋の数や使用言語も含めた共通リモコンのアップデートは、更に作業が増加する。場合によっては、部屋ごとの共通リモコンを入れなおす必要もある。
【００２０】
このように、宿泊施設をはじめとした多数の部屋を備える施設においては、部屋ごとに設置されている複数の電子機器の動作制御を行える共通リモコンが必要となっている。一方で、上述した理由で、共通リモコンを導入しても、部屋によって異なる電子機器の入れ替えに対応する共通リモコンのアップデート作業の煩雑性と作業量が問題となってくることが予想されている。
【００２１】
本発明は、これらの課題に鑑み、共通リモコンあるいは個別リモコンであっても、電子機器の交換によって使用できない状態となったリモコンを、電子機器交換後でも使用可能とする電子機器制御装置を提供することを目的とする。
【課題を解決するための手段】
【００２２】
上記課題に鑑み、本発明の電子機器制御装置は、電子機器の動作制御をリモートコントロールで行う電子機器制御装置であって、
最新リモコンコードを記憶する記憶部と、
記憶部に記憶される最新リモコンコードと、実際に使用される使用リモコンが発信する既存リモコンコードとの差分を検出する検出部と、
差分に基づいて、既存リモコンコードを最新リモコンコードに変換する変換部と、
使用リモコンから発信される既存リモコンコードを受信する受信部と、
変換部によって、受信部が受信した既存リモコンコードを最新リモコンコードに変換して、電子機器に発信する発信部を備え、
使用リモコンの発信する既存リモコンコードが、電子機器に対応していない場合でも、使用リモコンにより、電子機器を動作制御可能とする。
【発明の効果】
【００２３】
本発明の電子機器制御装置は、居室に備わっている単数または複数の電子機器を、動作制御することができる。このとき、居室で使用される使用リモコンの操作を受けて、電子機器制御装置は、電子機器の必要とするリモコンコードと異なるリモコンコードしか発信できない使用リモコンなどからのリモコンコードを変換して、電子機器に発信する。これにより、リモコンコードの異なる使用リモコンからの発信であっても、電子機器の動作制御を行える。
【００２４】
また、電子機器の入れ替えにより使用リモコンが記憶しているリモコンコードが古いままとなった場合には、電子機器制御装置は、入れ替えられた電子機器のリモコンコードと使用リモコンが記憶する古いリモコンコードとの変換機能で、これらを変換できる。このため、居室に備わる使用リモコンそのものを交換したり、使用リモコンそのものの記憶内容の更新処理をしたりしなくて済む。ここで、変換機能は、複数の居室および複数の使用リモコンに対して共通に実現できるので、居室ごとに電子機器が相違する状態であっても、どの居室の使用リモコンでも、そのまま電子機器の動作制御を行える。
【００２５】
これらのために、電子機器の入れ替えや居室による違いが生じても、電子機器制御装置を管理するサーバーにおいて、変換機能が記憶されるだけで、すべての居室の使用リモコンが変換機能により使用可能となる。このため、居室によって異なる型式の電子機器が備わるようになっても、使用リモコンのそれぞれをアップデートするなどの作業が不要となり、管理者の作業を軽減できる。また、アップデート作業の不備による、使用リモコンが使用できないなどの問題を防止できる。
【図面の簡単な説明】
【００２６】
【図１】使用リモコンを用いて電子機器を制御する場合を示す模式図である。
【図２】本発明の実施の形態１における電子機器制御装置のブロック図である。
【図３】本発明の実施の形態１における電子機器制御装置のブロック図である。
【図４】本発明の実施の形態１における電子機器制御装置のブロック図である。
【図５】本発明の実施の形態１における収集部による最新リモコンコードの収集を示す模式図である。
【図６】本発明の実施の形態１における収集部からサーバーにアップロードされる最新リモコンコードの収集を示す模式図である。
【図７】本発明の実施の形態２におけるある施設での電子機器制御装置の使用状態を示す模式図である。
【発明を実施するための形態】
【００２７】
本発明の第１の発明に係る電子機器制御装置は、電子機器の動作制御をリモートコントロールで行う電子機器制御装置であって、
最新リモコンコードを記憶する記憶部と、
記憶部に記憶される最新リモコンコードと、実際に使用される使用リモコンが発信する既存リモコンコードとの差分を検出する検出部と、
差分に基づいて、既存リモコンコードを最新リモコンコードに変換する変換部と、
使用リモコンから発信される既存リモコンコードを受信する受信部と、
変換部によって、受信部が受信した既存リモコンコードを最新リモコンコードに変換して、電子機器に発信する発信部を備え、
使用リモコンの発信する既存リモコンコードが、電子機器に対応していない場合でも、使用リモコンにより、電子機器を動作制御可能とする。
【００２８】
この構成により、使用リモコンから発信される既存リモコンコードが、電子機器２００と対応していない場合でも、使用リモコンの操作で電子機器を制御できる。
【００２９】
本発明の第２の発明に係る電子機器制御装置では、第１の発明に加えて、電子機器の動作制御に対応する最新リモコンコードを収集する収集部を更に備える。
【００３０】
この構成により、電子機器制御装置は、常に制御対象となる電子機器に対応した最新リモコンコードを発信できる。
【００３１】
本発明の第３の発明に係る電子機器制御装置では、第２の発明に加えて、収集部は、電子機器の入れ替えがされると、入れ替え後の電子機器に付属する付属リモコンから、最新リモコンコードを収集する。
【００３２】
この構成により、電子機器の入れ替えなどのタイミングで、最新リモコンコードを収集して電子機器制御装置に反映できる。
【００３３】
本発明の第４の発明に係る電子機器制御装置では、第２の発明に加えて、収集部は、収集した最新リモコンコードをサーバーに送信し、
サーバーは、最新リモコンコードを登録する。
【００３４】
この構成により、サーバーは、様々な種類と型式の電子機器に対応する最新リモコンコードを登録しておくことができる。
【００３５】
本発明の第５の発明に係る電子機器制御装置では、第４の発明に加えて、記憶部は、収集部で収集された最新リモコンコードもしくはサーバーが登録した最新リモコンコードを受信して、記憶する。
【００３６】
この構成により、記憶部は、常に部屋の中にある電子機器の型式やバージョンに対応した最新リモコンコードを記憶した状態となる。
【００３７】
本発明の第６の発明に係る電子機器制御装置では、第１から第５のいずれかの発明に加えて、複数の種類の電子機器が居室に設置されており、
記憶部は、複数の種類の電子機器のそれぞれに対応する最新リモコンコードを記憶し、
変換部は、複数の種類の電子機器の内、使用リモコンの発信する既存リモコンコードと、電子機器の動作制御に必要となる最新リモコンコードの相違する電子機器については、既存リモコンコードを最新リモコンコードに変換する。
【００３８】
この構成により、使用リモコンが電子機器に対応していない場合でも、使用リモコンで電子機器を制御できる。
【００３９】
本発明の第７の発明に係る電子機器制御装置では、第６の発明に加えて、複数の居室のそれぞれにおいて、同一種類の電子機器であっても、その型式が相違することがある。
【００４０】
この構成により、電子機器制御装置は、このような部屋ごとの違いにも対応できる。
【００４１】
本発明の第８の発明に係る電子機器制御装置では、第７の発明に加えて、使用リモコンおよび電子機器制御装置は、複数の居室のそれぞれに設置されており、
居室のそれぞれにおいて、同一種類の電子機器の型式が相違する場合には、
記憶部は、型式に対応する最新リモコンコードを記憶し、
変換部は、型式に対応する最新リモコンコードに、既存リモコンコードを変換することで、
居室に設置されている電子機器の型式の相違に対応して、電子機器の動作制御を行う。
【００４２】
この構成により、部屋ごとに相違する型式でも対応できる。
【００４３】
本発明の第９の発明に係る電子機器制御装置では、第１から第８のいずれかの発明に加えて、記憶部は、複数の種類の電子機器のそれぞれに対応する最新リモコンコードを記憶する。
【００４４】
この構成により、電子機器制御装置は、電子機器の型式などに対応して、使用リモコンでこれらを制御できる。
【００４５】
本発明の第１０の発明に係る電子機器制御装置では、第５の発明に加えて、サーバーは、複数の居室のそれぞれに設置されている電子機器制御装置の記憶部に、最新リモコンコードを送信する。
【００４６】
この構成により、サーバーによって、記憶部の記憶する最新リモコンコードが常にアップデートされる。
【００４７】
本発明の第１１の発明に係る電子機器制御装置では、第１０の発明に加えて、サーバーは、記憶部に対して、有線通信もしくは無線通信によって、最新リモコンコードを送信する。
【００４８】
この構成により、サーバーによる記憶部のアップデートが確実に行われる。
【００４９】
本発明の第１２の発明に係る電子機器制御装置では、第１０または第１１の発明に加えて、サーバーは、複数の居室のそれぞれで設置されている電子機器の型式が相違する場合には、型式に対応する最新リモコンコードを、記憶部に送信する。
【００５０】
この構成により、電子機器制御装置には、常に対応する最新リモコンコードがアップデートされた状態となる。
【００５１】
以下、図面を用いながら本発明の実施の形態について説明する。
【００５２】
（実施の形態１）
【００５３】
（全体概要）
図１は、使用リモコンを用いて電子機器を制御する場合を示す模式図である。使用リモコン１００は、電子機器２００が設置されている室内において、この電子機器２００を制禦するためのコントローラーである。一般的には、電子機器を購入すると、専用リモコンが付属している。この専用リモコンであれば、電子機器を制御するリモコンコードが、専用リモコンと電子機器とで共通している。このため、専用リモコンは、電子機器の制御を問題なく行える。
【００５４】
しかしながら、従来技術で説明したように、宿泊施設やオフィスなどでは、多数の部屋のそれぞれに複数の種類の電子機器が設置されている。このため、一つの部屋においては、複数の電子機器（テレビ、録画プレーヤー、空調機器、照明装置、音楽プレーヤーなど）のそれぞれに付属する専用リモコンを使用するのは不便である。専用リモコンの数が多くなりすぎることで使用者の不便があったり、使用者の使用言語の違いに、すべての専用リモコンが対応困難であったりの問題がある。
【００５５】
このため、宿泊施設やオフィスなどでは（もちろん、一般家庭やその他でも）、複数の種類の電子機器を制御可能な共通リモコンが使用されることがある。共通リモコンであれば、複数の電子機器を制御することができる。図１における使用リモコン１００は、共通リモコンであることも含めて示している。
【００５６】
図１の上は、共通リモコンを含む使用リモコン１００が電子機器２００を制御可能な状態を示している。使用リモコン１００が発信するリモコンコード（既存リモコンコード）と、電子機器２００が受信可能（制御を受けることが可能）なリモコンコード（最新リモコンコード）とが一致している。一致していることで、使用リモコン１００は、図１の上のように電子機器２００を問題なく制御できる。
【００５７】
図１の上では、使用リモコン１００が発信するリモコンコードと、電子機器２００が受信可能なリモコンコードの波形が同じであることを示している。この結果、使用リモコン１００は、電子機器２００を動作制御することができる。
【００５８】
しかしながら、複数の部屋のそれぞれに複数の種類の電子機器が設置されている場合には、ある部屋のある電子機器が交換されることもあり得る。この場合には、この共通リモコンである使用リモコン１００が発信するリモコンコード（既存リモコンコード）が、交換後の電子機器が受信可能な最新リモコンコードと一致しないこともありえる。
【００５９】
このような不一致であると、図１の下側のように、使用リモコン１００は、電子機器２００を制御できない。しかしながら、複数の電子機器を制御する共通リモコンのように、各部屋においては用意されている使用リモコン１００を使用する必要がある。一方で、従来技術で説明したように、部屋ごとに異なって生じる電子機器の交換のすべてに対応して、使用リモコン１００の既存リモコンコードを最新リモコンコードに変換させる作業を行うのは現実的でない。
【００６０】
図１の下側では、使用リモコン１００が発信するリモコンコードと、電子機器２００が受信可能なリモコンコードの波形が不一致であることを示している。この結果、使用リモコン１００は、電子機器２００を動作制御することができない。
【００６１】
本発明の電子機器制御装置１は、このような背景で発明に至った。
【００６２】
図２は、本発明の実施の形態１における電子機器制御装置のブロック図である。
【００６３】
電子機器制御装置１は、受信部２、記憶部３、検出部４、変換部５、発信部６とを、備える。電子機器制御装置１は、図２に示されるように、使用者が実際に使用する使用リモコン１００と、制御対象の電子機器２００との間に介在する。介在によって、使用リモコン１００が発信するリモコンコードである既存リモコンコードが、受信して制御される電子機器２００に必要な最新リモコンコードと一致している、一致していないにかかわらず、使用リモコン１００で問題なく電子機器２００を制御できる。
【００６４】
電子機器制御装置１は、リモコン１００からの中間処理を実行するとみなせばよい。すなわち、電子機器制御装置１は、リモコン１００の発信する既存リモコンコードのバージョンに関わらず、電子機器２００に一致する最新リモコンコードを代わって発信して電子機器２００を制御する。
【００６５】
また、電子機器制御装置１は、部屋に設置されれば、使用者はこの電子機器制御装置１を意識せずに使用リモコン１００で電子機器２００を制御できる。使用リモコン１００から発信される既存リモコンコードを受信容易であり、電子機器２００が最新リモコンコードを受信容易になる位置に、電子機器制御装置１が、部屋において設置されればよい。
【００６６】
受信部２は、使用リモコン１００から発信される既存リモコンコードを受信する。使用者が使用リモコン１００を操作すると、使用リモコン１００からは、既存リモコンコードが発信される。既存リモコンコードは、その時点で、使用リモコン１００に登録されているリモコンコードである。電子機器２００が受信可能な最新リモコンコードと一致している場合も、一致していない場合もあり得る。
【００６７】
記憶部３は、電子機器２００が受信可能で制御されることが可能な最新状態である最新リモコンコードを記憶する。図２では、図２に示される電子機器２００に対応する最新リモコンコードを記憶している。このとき、ある部屋において複数の電子機器２００が設置されている場合であって、使用リモコン１００がこれら複数の電子機器２００を共通して制御する共通リモコンである場合には、記憶部３は、複数の電子機器２００のそれぞれに対応する最新リモコンコードを記憶する。また、部屋によって電子機器２００のバージョンや種類が相違する場合には、この相違に対応した最新リモコンコードを記憶する。
【００６８】
電子機器制御装置１は、宿泊施設やオフィスなどの各部屋に設置される。各部屋には、複数の電子機器２００が備わっているが、部屋によって、同じ種類の電子機器２００であっても、バージョンや型式が異なることがある。電子機器２００がテレビである場合に、部屋Ａでは型式Ａのテレビが備わり、部屋Ｂには型式Ｂのテレビが備わることがある。
【００６９】
このような場合には、部屋Ａの電子機器制御装置１は、型式Ａのテレビに対応する最新リモコンコードを記憶し、部屋Ｂの電子機器制御装置１は、型式Ｂのテレビに対応する最新リモコンコードを記憶している。このように、部屋に設置される電子機器制御装置１によって、記憶部３が記憶する最新リモコンコードは相違しうる。
【００７０】
なお、記憶部３は、スタンドアロンの記憶装置だけではなく、電子機器制御装置１が接続されるネットワーク上から最新リモコンコードをダウンロードあるいは都度受信、あるいは一時記憶する形態でもよい。例えば、ネットワーク上に備わる記憶装置に最新リモコンコードが記憶されている。記憶部３は、必要に応じて、この記憶装置にアクセスして、最新リモコンコードを読み出すことでもよい。
【００７１】
検出部４は、受信部２が受信した使用リモコン１００からの既存リモコンコードと記憶部３が記憶している最新リモコンコードの差分を検出する。例えば、部屋Ａに型式Ａのテレビが設置されている場合に、記憶部３は、型式Ａのテレビに対応する最新リモコンコードを記憶している。このとき、部屋Ａの使用リモコン１００が、型式Ａのテレビに対応する既存リモコンコードを発信することもある。あるいは、型式Ａのテレビに対応しない既存リモコンコードを発信することもある。後者は、例えば、部屋Ａにおいてテレビが交換されたことにより生じる。
【００７２】
検出部４は、記憶部３が記憶している型式Ａのテレビの最新リモコンコードと使用リモコン１００からの既存リモコンコードとの一致、不一致を検出する。使用リモコン１００が発信する既存リモコンコードが型式Ａのテレビに対応するものであれば一致であり差分はないと検出する。逆に、使用リモコン１００が発信する既存リモコンコードが型式Ａのテレビに対応する者でなければ、不一致であり差分があると検出する。テレビを例としたが、これ以外の電子機器２００であっても同様である。
【００７３】
検出部４は、検出結果を変換部５に出力する。
【００７４】
変換部５は、検出結果に基づいて、使用リモコン１００から発信される既存リモコンコードを最新リモコンコードに変換する。最新リモコンコードは、図２の電子機器２００のように、使用リモコン１００によって操作しようとしている実際の電子機器２００が制御されるためのリモコンコードである。検出部４で、一致と検出されていれば、変換部５は、受信部２が受信した使用リモコン１００から既存リモコンコードを変換しない。検出部４で不一致と検出されていれば、変換部５は、受信部２が受信した使用リモコン１００からの既存リモコンコードを、記憶部３が記憶している最新リモコンコードに変換する。
【００７５】
後者は、例えば、型式Ａのテレビに対応する最新リモコンコードに変換する。
【００７６】
これに限らず、部屋に設置されている電子機器２００が必要とする最新リモコンコードが型式その２であり、利用リモコン１００が発信する既存リモコンコードが型式その１である場合には、変換部５は、受信した型式その１の既存リモコンコードを、型式その２の最新リモコンコードに変換する。逆に、部屋に設置されている電子機器２００が必要とする最新リモコンコードが型式その１であり、利用リモコン１００が発信する既存リモコンコードが型式その２である場合には、変換部５は、受信した型式その２の既存リモコンコードを、型式その１の最新リモコンコードに変換する。
【００７７】
発信部６は、変換部５で変換された後のリモコンコードを電子機器２００に向けて発信する。すなわち、変換リモコンコードを発信する。この変換リモコンコードは、電子機器２００を制御可能な最新リモコンコードである。電子機器制御装置１は、最終的に実際の電子機器２００が制御可能な最新リモコンコードを発信できる。これにより、使用者は使用リモコン１００を操作するだけで、確実に電子機器２００を操作・制御できる。このとき、使用リモコン１００の発信する既存リモコンコードが電子機器２００に対応していない場合でも、これを意識することなく、使用リモコン１００で電子機器２００を制御できる。
【００７８】
このとき、使用者は使用リモコン１００と電子機器２００とのリモコンコードの一致・不一致などを意識する必要がない。電子機器制御装置１が、これらの間に介在して、自動的に変換して電子機器２００を操作・制御するからである。また、記憶部３は、使用リモコン１００の制御対象である電子機器２００に対応する最新リモコンコードを記憶しているので、制御できないこともない。電子機器２００の型式が古かったり新しかったりしても、これに対応する最新リモコンコードが必ず発信される。これにより、電子機器２００の型式に関わらず、使用リモコン１００により、確実に制御できる。
【００７９】
（各部の詳細とバリエーション）
【００８０】
次に、各部の詳細やバリエーションについて説明する。
【００８１】
（収集部）
図３は、図４は、本発明の実施の形態１における電子機器制御装置のブロック図である。図３、図４に示される電子機器制御装置１は、収集部７を更に備えている。収集部７は、部屋に設置されており使用リモコン１００で実際に制御を受ける電子機器２００の動作制御に対応する最新リモコンコードを収集する。ある部屋に型式Ａのテレビが設置されている場合には、型式Ａに対応する最新リモコンコードＡを、収集部７は収集する。別の部屋に型式Ｂのテレビが設置されている場合には、型式Ｂに対応する最新リモコンコードＢを、収集部７は収集する。このように、電子機器制御装置１が設置されている部屋に備わる電子機器２００の型式やバージョンに応じた最新リモコンコードを、収集部７は、収集する。
【００８２】
もちろん、収集部７は、部屋に複数の電子機器２００が設置されている場合には、複数の電子機器２００のそれぞれに対応する最新リモコンコードを収集する。
【００８３】
収集部７は、収集した最新リモコンコードを、記憶部３に出力する。記憶部３は、この出力を受けて、設置されている電子機器２００を実際に動作制御できる最新リモコンコードを記憶できる。この記憶を通じて、上述したように、使用リモコン１００の発信する既存リモコンコードの一致、不一致にかかわらず、電子機器２００を制御することができる。
【００８４】
ここで、図３に示されるように、収集部７は、電子機器制御装置１の内部に備わる形態でもよい。あるいは、図４に示されるように、電子機器制御装置１の外部に収集部７が備わる形態でもよい。前者の場合には、電子機器制御装置１そのものが、収集部７を通じて、最新リモコンコードを収集する。後者の場合には、電子機器制御装置１とは離れた状態で、収集部７が、最新リモコンコードを収集する。いずれの場合でも、収集部７が収集した最新リモコンコードは、記憶部３に出力されて、記憶部３が、これを記憶できる。
【００８５】
収集部７は、部屋に設置されている電子機器２００の入れ替えがされると、入れ替え後の電子機器２００に付属する付属リモコンから、最新リモコンコードを収集する。
【００８６】
図５は、本発明の実施の形態１における収集部による最新リモコンコードの収集を示す模式図である。図５では、収集部７として、無線通信での収集が可能なデバイスを例として示している。複数の電子機器２００に対応する付属リモコン１１０は、電子機器２００の導入の際に入手できる。図５では、テレビ、エアコン、照明装置のそれぞれに対応する付属リモコン１１０が示されている。
【００８７】
これら付属リモコン１１０は、電子機器２００の導入の際（すなわち、部屋に設置する際）に入手されるものである。このため、部屋に設置される電子機器２００を動作制御できる最新リモコンコードを有している。この付属リモコン１１０が操作されると、最新リモコンコードが発信される。収集部７は、これを受信可能である。この受信によって、電子機器２００のそれぞれに対応する最新リモコンコードを収集できる。
【００８８】
収集部７は、収集した最新リモコンコードを直接的あるいは間接的（後述）に、記憶部３に出力する。これにより、電子機器制御装置１の記憶部３は、電子機器２００を制御動作できる最新リモコンコードを常に記憶できる状態となる。
【００８９】
収集部７は、電子機器制御装置１のそれぞれにおいて付属リモコン１１０から最新リモコンコードを収集してもよい。この場合には、複数の部屋のそれぞれに設置される電子機器制御装置１のそれぞれで、部屋に対応する電子機器２００の最新リモコンコードの収集を行う。すなわち、各部屋で、最新リモコンコードの収集作業が行われる。例えば、部屋ごとに電子機器制御装置１（あるいは収集部７）が、独立したスタンドアロンで動作する場合には、このように個別収集する。
【００９０】
また、部屋ごとに設置される電子機器２００の種類や型式が大きく相違する場合には、部屋ごとで電子機器制御装置１がスタンドアロンで動作、管理されることが好ましい。このときの収集部７は、部屋ごとで付属リモコン１１０からの最新リモコンコードを収集することが好ましい。
【００９１】
一方で、ある収集部７（電子機器制御装置１に含まれる収集部７でもよいし、電子機器制御装置１と分離独立した収集部７でもよい）が、付属リモコン１１０からの最新リモコンコードを受信して、サーバーにアップロードして、サーバーからネットワーク接続される他の電子機器制御装置１に反映されることでもよい。
【００９２】
図６は、本発明の実施の形態１における収集部からサーバーにアップロードされる最新リモコンコードの収集を示す模式図である。  
【００９３】
ある収集部７は、付属リモコン１１０から最新リモコンコードを収集する。このとき、複数の電子機器２００であったそれぞれ複数の型式やバージョンの電子機器２００に対応する付属リモコン１１０から、複数の種類の最新リモコンコードを収集すればよい。結果として、宿泊施設やオフィスなどに設置されているすべての電子機器に対応する複数の最新リモコンコードが収集できる。
【００９４】
収集部７は、サーバー３００に、収集した最新リモコンコードを送信する。サーバー３００と収集部７は、ネットワークで接続されている。また、複数の部屋のそれぞれに設置される電子機器制御装置１も、ネットワークで接続されている。ある収集部７で収集された最新リモコンコードを受信したサーバー３００は、この最新リモコンコードを登録する。このとき、電子機器２００の種類、型式、バージョンなどとの対応関係を持って登録する。
【００９５】
また、必要に応じて、サーバー３００は、管理している施設の複数の部屋のそれぞれに設置されている電子機器２００の種類、型式、バージョンなどを登録していてもよい。これらと対応させて、複数の部屋のそれぞれに設置されている電子機器制御装置１に、いずれの最新リモコンコードを送信するかを決めることができる。
【００９６】
サーバー３００は、収集部７から受信して登録した最新リモコンコードを、各部屋に設置されている電子機器制御装置１に送信する。電子機器制御装置１は、収集部７を介して、サーバー３００からの最新リモコンコードを受信すればよい。あるいは、記憶部３が受信すればよい。
【００９７】
こうして、各部屋に設置されている電子機器制御装置１の記憶部３は、ある収集部７で収集された最新リモコンコードを記憶することができる。サーバー３００からの送信を受けて、記憶する最新リモコンコードをアップデートできる。もちろん、部屋に設置されている電子機器２００の型式やバージョンに合わせた最新リモコンコードであるので、部屋によって記憶部３が記憶する最新リモコンコードが相違してもよい。サーバー３００は、このような相違を把握した上で、最新リモコンコードを、それぞれの電子機器制御装置１に送信できる。
【００９８】
あるいは、サーバー３００は最新リモコンコードを一斉に各電子機器制御装置１に送信した上で、受信する電子機器制御装置１が、必要となる型式やバージョンの最新リモコンコードを選択して記憶部３に記憶させることでもよい。電子機器制御装置１は、電子機器２００との通信を通じて、電子機器２００の型式やバージョンを把握できる。この把握により、記憶部３で記憶すべき最新リモコンコードを選択できる。
【００９９】
記憶部３は、電子機器制御装置１の収集部３から直接的に最新リモコンコードを得てもよいし、ここで説明したように、代表となる収集部７で収集された最新リモコンコードをサーバー３００から得てもよい。
【０１００】
なお、後者の場合には、いずれの部屋に設置されている電子機器制御装置１の収集部７が利用されてもよいし、サーバー３００への最新リモコンコードのアップロード専用の収集部７が利用されてもよい。
【０１０１】
例えば、管理作業室に電子制御装置１の収集部７が設置されている。管理者は、施設の複数の部屋において設置されている複数の型式それぞれに対応する付属リモコンから、収集部７に最新リモコンコードを発信する。この収集部７は、すべての型式に対応する付属リモコンからの最新リモコンコードのすべてを収集できる。収集部７は、この収集したすべての型式に対応する最新リモコンコードをサーバー３００にアップロードする。この結果、サーバー３００は、すべての型式に対応する最新リモコンコードを記憶することができる。
【０１０２】
このサーバー３００は、必要に応じて、各部屋にある電子機器制御装置１の記憶部３に最新リモコンコードを送信する。ある部屋には型式Ａに対応する最新リモコンコードを送信し、別の部屋には型式Ｂに対応する最新リモコンコードを送信する。このようにして、サーバー３００への様々な型式に対応する最新リモコンコードのアップロードは、集中管理で行われ、各部屋の電子機器制御装置１には、対応する最新リモコンコードがダウンロードされることも好適である。この処理により、容易かつ短時間で、すべての部屋のそれぞれで必要な最新リモコンコードが使用可能となるメリットがある。
【０１０３】
（記憶部）
記憶部３は、上述の通り、その部屋に応じた最新リモコンコードを記憶する。例えば、ある部屋には、型式Ａのテレビ、型式Ｂのエアコン、型式Ｃの照明装置が設置されている。使用リモコン１００は、これらの電子機器２００を制御するために備わっている。使用者は、この使用リモコン１００を操作することで、これら電子機器２００を制御する。
【０１０４】
このとき、記憶部３は、型式Ａのテレビに対応する最新リモコンコード、型式Ｂのエアコンに対応する最新リモコンコード、型式Ｃの照明装置に対応する最新リモコンコードを記憶している。収集部７で説明したように、この部屋に設置されている電子機器制御装置１の収集部７がこれらの最新リモコンコードを収集してもよいし、サーバー３００から送信されてもよい。いずれにしても、部屋に設置されている電子機器制御装置1の記憶部３は、型式の相違に対応する最新リモコンコードを記憶している。
【０１０５】
また、部屋には複数の種類の電子機器２００が設置されている。テレビ、エアコン、照明装置、音楽プレーヤーなどである。記憶部３は、これら複数の種類の電子機器２００に対応する最新リモコンコードを記憶している。複数の種類の電子機器２００のそれぞれで、型式が様々であっても、それぞれの型式に応じた最新リモコンコードを記憶している。これにより、使用リモコン１００の既存リモコンコードのバージョンや型式のアップデートがなされなくても、電子機器２００を制御できる。
【０１０６】
ここで、上述したように、記憶部３とつながる収集部７が、最新リモコンコードを記憶部３に出力してもよい。あるいは、サーバー３００が記憶部３に最新リモコンコードを送信してもよい。後者の場合には、サーバー３００は、記憶部３に対して、有線通信もしくは無線通信によって、最新リモコンコードを送信してもよい。
【０１０７】
また、サーバー３００は、部屋のそれぞれに設置されている電子機器２００の型式が相違する場合に応じて、この型式の相違に対応した最新リモコンコードを記憶部３に送信する。これにより、部屋によって、記憶部３が記憶する最新リモコンコードは様々な状態となる。
【０１０８】
（変換部および発信部）
【０１０９】
この記憶部３の記憶によって、変換部５は、使用リモコン１００が発信する既存リモコンコードと設置されている電子機器２００の受信可能な最新リモコンコードとの変換を行える。すなわち、使用リモコン１００が、型式Ａとは異なる既存リモコンコードを発信する場合でも、変換部５は、型式Ａに対応する最新リモコンコードに変換する。この変換された最新リモコンコードが発信部６から発信されるので、型式Ａのテレビは制御される。
【０１１０】
ここで、宿泊施設などの施設では複数の部屋がある。この複数の部屋のそれぞれにおいては、同一種類の電子機器２００であっても、その型式が相違することがある。ある部屋Ａのテレビは型式Ａであり、別の部屋Ｂのテレビは型式Ｂであることもある。
【０１１１】
このような場合でも、部屋のそれぞれには使用リモコン１００に介在する電子機器制御装置１が設置されている。このため部屋Ａの電子機器制御装置１の記憶部３は、型式Ａのテレビに対応する最新リモコンコードを記憶している。部屋Ｂの電子機器制御装置１の記憶部３は、型式Ｂのテレビに対応する最新リモコンコードを記憶している。
【０１１２】
一方で、部屋Ａに設置されている使用リモコン１００は、型式Ａの既存リモコンコードを発信できる場合とできない場合がある。部屋Ｂに設置されている使用リモコン１００は、型式Ｂの既存リモコンコードを発信できる場合とできない場合がある。
【０１１３】
発信できる場合には、それぞれの部屋の変換部５は、変換することなくそのまま既存リモコンコードを最新リモコンコードとして発信部６を通じて発信する。テレビは制御される。発信できない場合には、それぞれの部屋の変換部５は、変換した最新リモコンコードを、発信部６を通じて発信する。これにより、部屋に設置されている電子機器２００の型式の相違に対応して、電子機器制御装置１は、これらを制御できる。このとき、使用者は、使用リモコン１００を操作するだけであるので、何かの特別な意識を持つ必要もない。
【０１１４】
このように、部屋のそれぞれで電子機器２００の型式やバージョンが相違する場合でも、それぞれの部屋の使用リモコン１００のアップデートなどが不要である。各部屋の収集部７を介して、記憶部３が最新リモコンコードを記憶すればよい。あるいは、サーバー３００からの送信を受けて、記憶部３が最新リモコンコードを記憶すればよい。この記憶によって、変換部５の変換と発信部６からの最新リモコンコードの発信によって、使用リモコン１００のアップデートが無くても、電子機器２００を動作制御させることができる。
【０１１５】
（実施の形態２）
【０１１６】
次に、実施の形態２について説明する。
【０１１７】
図７は、本発明の実施の形態２におけるある施設での電子機器制御装置の使用状態を示す模式図である。ある施設では、複数の部屋がある。図７では、一例として部屋Ａ、部屋Ｂ、部屋Ｃが示されている。部屋Ａ、部屋Ｂ、部屋Ｃのそれぞれには、電子機器２００が設置されている。また部屋Ａ〜部屋Ｃのそれぞれで、使用者が使用する使用リモコン１００が設置されている。併せて、電子機器制御装置１も、部屋Ａ〜部屋Ｃのそれぞれに設置されている。
【０１１８】
実施の形態１では、記憶部３が、部屋Ａ〜部屋Ｃの電子機器２００の型式などに合わせた最新リモコンコードを記憶している場合で説明した。実施の形態２では、記憶部３の記憶ではなく、使用リモコン１００が操作される都度にサーバー３００から最新リモコンコードが送信されて電子機器２００に発信される形態である。
【０１１９】
サーバー３００と電子機器制御装置１は、ネットワークで接続されている。使用リモコン１００が操作されると、使用リモコン１００から電子機器制御装置１に既存リモコンコードが発信される。これを受けて検出部４が既存リモコンコードと最新リモコンコードとの差分を検出することがある。この場合には、変換部５は、サーバー３００から必要となる最新リモコンコードを読み込んで、これを発信部６を通じて電子機器２００に発信させる。
【０１２０】
すなわち、使用リモコン１００の操作が行われるたびに、サーバー３００から最新リモコンコードが読み出されて、電子機器２００にこれに合わせた命令が発信される。
【０１２１】
収集部７での収集の手間を省きたい場合や、電子機器２００のバージョンが頻繁に変更される場合などには、記憶部３の記憶する最新リモコンコードをアップデートするよりも、操作の度にサーバー３００から最新リモコンコードを得るほうが効率的であることもある。
【０１２２】
図７であれば、部屋Ａにおいて使用リモコン１００が使用されると、検出部４での検出結果によって、部屋Ａの電子機器制御装置１は、部屋Ａに設置されている電子機器２００に対応する最新リモコンコードをサーバー３００から得る。同様に、部屋Ｂでも、部屋Ｂの使用リモコン１００が操作されると、サーバー３００から部屋Ｂの電子機器制御装置１に最新リモコンコードが送信される。部屋Ｃでも同様である。
【０１２３】
このようにして、記憶部３をアップデートしていく代わりに、使用リモコン１００の操作においてサーバー３００から得られる最新リモコンコードが、電子機器制御装置１から発信されることも効率的である。
【０１２４】
なお、実施の形態１〜２で説明された電子機器制御装置は、本発明の趣旨を説明する一例であり、本発明の趣旨を逸脱しない範囲での変形や改造を含む。
【符号の説明】
【０１２５】
１    電子機器制御装置
２    受信部
３    記憶部
４    検出部
５    変換部
６    発信部
７    収集部
１００    使用リモコン
１１０    付属リモコン
２００    電子機器
３００    サーバー
【図１】
2020191490.tif 000003
【図２】
2020191490.tif 000004
【図３】
2020191490.tif 000005
【図４】
2020191490.tif 000006
【図５】
2020191490.tif 000007
【図６】
2020191490.tif 000008
【図７】
2020191490.tif 000009